【手続補正書】
【提出日】平成19年1月31日(2007.1.31)
【手続補正１】
【補正対象書類名】明細書
【補正対象項目名】特許請求の範囲
【補正方法】変更
【補正の内容】
【特許請求の範囲】
【請求項１】  ビデオソース機器に関する方法において、
対称暗号化／解読プロセスのための基礎値を得て、ビデオシンク機器がビデオソース機器からビデオコンテンツを受信できるようにするステップと、
ブロック動作モードにおける該基礎値の関数変換による第１の暗号化キーの生成および該第１の暗号化キーに基づくストリーム暗号化の実行を含む、ビデオコンテンツをビデオシンク機器への送信のために暗号化するステップと、
送信されたビデオコンテンツのビデオシンク機器による対称解読を周期的に確認するステップと、
からなる方法。
【請求項２】  ビデオソース機器に関する方法において、
認証キーの生成を含む、ビデオソース機器からビデオコンテンツを受信するビデオシンク機器を認証するステップと、
少なくとも該認証キーを用いてブロック動作モードで第１の暗号化キーを生成することを含む、ビデオコンテンツをビデオシンク機器への送信のためにストリーム動作モードで暗号化するステップと、
送信されたビデオコンテンツのビデオシンク機器による対称解読を周期的に確認するステップと、
からなる方法。
【請求項３】  対称暗号化／解読プロセスのための基礎値を得て、ビデオシンク機器がビデオソース機器からビデオコンテンツを受信できるようにする第１の制御装置と、
該第１の制御装置に接続されていて、ビデオコンテンツをビデオシンク機器への送信のために暗号化するストリーム暗号化装置を含むと共に、ブロック動作モードで該基礎値の関数変換により第１の暗号化キーを生成するブロック暗号化装置を含む暗号化装置と、
からなり、
該ブロック暗号化装置の出力は該ストリーム暗号化装置に入力されると共に、逆に該ブロック暗号化装置にフィードバックとして入力され、
かつ
該暗号化装置に接続されていて、送信されたビデオコンテンツのビデオシンク機器による対称解読を周期的に確認する第２の制御装置と、
からなる装置。
【請求項４】  認証キーを生成することを含めて、ビデオソース機器からビデオコンテンツを受信するビデオシンク機器を認証する第１の制御装置と、
該第１の制御装置に接続されていて、ビデオコンテンツをビデオシンク機器への送信のために暗号化するストリーム暗号化装置を含むと共に、少なくとも該認証キーを用いて第１の暗号化キーを生成するブロック暗号化装置を含む暗号化装置と、
該暗号化装置に接続されていて、送信されたビデオコンテンツのビデオシンク機器による対称解読を周期的に確認する第２の制御装置と、
からなる装置。
【請求項５】  ビデオシンク機器に関する方法において、
対称暗号化／解読プロセスのための基礎値をビデオソース機器から受信するステップと、
ブロック動作モードにおける該基礎値の関数変換による第１の解読キーの生成および該第１の解読キーに基づくストリーム解読の実行を含む、ビデオソース機器から受信した暗号化形式のビデオコンテンツをストリーム動作モードを用いて解読するステップと、
暗号化したビデオコンテンツが確かに対称解読されているということの確認をトリガーするための確認値を周期的にビデオソース機器に供給するステップと、
からなる方法。
【請求項６】  ビデオシンク機器に関する方法において、
ブロック動作モードにおける認証キーの生成を含む、ビデオソース機器を認証するステップと、
少なくとも該認証キーを用いてブロック動作モードで第１の解読キーを生成することを含む、ビデオソース機器から受信したビデオコンテンツをストリーム動作モードを用いて解読するステップと、
暗号化したビデオコンテンツが確かに対称解読されているということの確認をトリガーするための確認値を周期的にビデオソース機器に供給するステップと、
からなる方法。
【請求項７】  対称暗号化／解読プロセスのための基礎値をビデオソース機器から受信する第１の制御装置と、
該第１の制御装置に接続されていて、ビデオソース機器からの暗号化されたビデオコンテンツを解読するためのストリーム解読装置を含むと共に、ブロック動作モードで該基礎値の関数変換により第１の解読キーを生成するブロック解読装置を含む解読装置と、
該解読装置に接続されていて、暗号化したビデオコンテンツが確かに対称解読されているということの確認をトリガーするための確認値を周期的にビデオソース機器に供給する第２の制御装置と、
からなる装置。
【請求項８】  ビデオソース機器を認証する、認証キーの生成機能を有する第１の制御装置と、
該第１の制御装置に接続されていて、ビデオソース機器からの暗号化されたビデオコンテンツを解読するストリーム解読装置を含むと共に、少なくとも該認証キーを用いて第１の解読キーを生成するブロック解読装置を含む解読装置と、
該解読装置に接続されていて、暗号化したビデオコンテンツが確かに対称解読されているということの確認をトリガーするための確認値を周期的にビデオソース機器に供給する第２の制御装置と、
からなる装置。
【請求項９】  対称暗号化／解読プロセスのための基礎値および識別キーを受信機器に供給するステップと、
受信機器から識別キーを受信するステップと、
事前設定したプライベートキーアレイおよび受信機器と関連する識別子に基づいて共通秘密認証キーを生成することにより受信機器を認証するステップと、
共通秘密認証キーを用いてブロック暗号化した基礎値に基づく第１の暗号化キーを用いて、受信機器への送信のためにコンテンツを暗号化するステップと、
暗号化したコンテンツをソース機器から受信機器へ送信するステップと、
からなる方法。
【請求項１０】  受信機器許可キーの生成を含む、ソース機器からコンテンツを受信する受信機器を認証するステップと、
ソース機器認証キーの生成を含む、受信機器にコンテンツを供給するソース機器を認証するステップと、
少なくとも受信機器許可キーを用いて第１の暗号化キーを生成することを含む、受信機器へ送信するためにコンテンツを暗号化するステップと、
暗号化したコンテンツをソース機器から受信機器へ送信するステップと、
ソース機器から該暗号化したコンテンツを受信するステップと、
該ソース機器認証キーを用いて第１の解読キーを生成することを含む、該暗号化したコンテンツを解読するステップと、
からなる方法。
【請求項１１】  ソース機器からシンク機器へ第１の乱数である基礎値を供給するステップと、
該ソース機器から該シンク機器へソース識別キーを供給するステップと、
ソース機器でシンク機器からシンク識別キーを受信するステップと、
該ソース機器および該シンク機器で互いに別々に認証キーをそれぞれが該認証キーのコピーを持つように生成するステップと、
該認証キーをブロック暗号化キーとして用いて該基礎値をブロック暗号化することにより、送信セッション用の初期認証キーを生成するステップと、
第２の乱数を生成するステップと、
該初期認証キーを用いてコンテンツをストリーム暗号化するステップと、
初期認証キーをブロック暗号化キーとして用いて直前の該第２の乱数をブロック暗号化することにより、次のフレーム用のフレームキーを生成するステップと、
からなる方法。
【請求項１２】  シンク機器へ第１の乱数である基礎値を供給するソース機器を備え、
該ソース機器が、該シンク機器へソース識別キーを供給し、
該ソース機器が、該シンク機器から該シンク機器により生成されたシンク識別キーを受信し、
該ソース機器が、独自に認証キーを生成し、該認証キーのそれぞれのコピーが該シンク機器によっても生成され、
該認証キーをブロック暗号化キーとして用いて該基礎値をブロック暗号化することにより、送信セッション用の初期認証キーを生成するブロック暗号化装置を備え、
該ソース機器が、第２の乱数を生成し、
該初期認証キーを用いてコンテンツをストリーム暗号するストリーム暗号化装置を備え、
該ソース機器が、初期認証キーをブロック暗号化キーとして用いて直前の該第２の乱数をブロック暗号化することにより、次のフレーム用のフレームキーを生成する、
装置。
【請求項１３】  シンク機器へ第１の乱数である基礎値を供給する手段と、
該シンク機器にソース識別キーを供給する手段と、
該シンク機器からシンク識別キーを受信する手段と、
認証キーを独自に生成する手段と、
該認証キーをブロック暗号化キーとして用いて該基礎値をブロック暗号化することにより、送信セッション用の初期認証キーを生成する手段と、
第２の乱数を生成する手段と、
該初期認証キーを用いてコンテンツをストリーム暗号化する手段と、
該初期認証キーをブロック暗号化キーとして用いて直前の該第２の乱数をブロック暗号化することにより、次のフレーム用のフレームキーを生成する手段と、
からなる装置。
【請求項１４】  対称暗号化／解読プロセスのための基礎値を得て、ビデオシンク機器がビデオソース機器からビデオコンテンツを受信できるようにする手段と、
ブロック動作モードで該基礎値の関数変換により第１の暗号化キーを生成して該第１の暗号化キーに基づきストリーム暗号化を実行する手段を含む、ビデオコンテンツをビデオ  シンク機器への送信のためにストリーム動作モードで暗号化する手段と、
送信されたビデオコンテンツのビデオシンク機器による対称解読を周期的に確認する手段と、
からなる装置。
【請求項１５】  認証キーの生成を含めて、ビデオソース機器からビデオコンテンツを受信するビデオシンク機器を認証する手段と、
少なくとも該認証キーを用いてブロック動作モードで第１の暗号化キーを生成することを含めて、ビデオコンテンツをビデオシンク機器への送信のためにストリーム動作モードで暗号化する手段と、
送信されたビデオコンテンツのビデオシンク機器による対称解読を周期的に確認する手段と、
からなる装置。
【請求項１６】  対称暗号化／解読プロセスのための基礎値をビデオソース機器から受信する手段と、
ビデオソース機器から受信した暗号化形式のビデオコンテンツをストリーム動作モードを用いて解読する手段、およびブロック動作モードで該基礎値の関数変換により第１の解読キーを生成して該第１の解読キーに基づきストリーム解読を実行する手段と、
暗号化したビデオコンテンツが確かに対称解読されているということの確認をトリガーするための確認値を周期的にビデオソース機器に供給する手段と、
からなる装置。
【請求項１７】  認証キーを生成することを含めて、ビデオソース機器を認証する手段と、
ビデオソース機器から受信した暗号化形式のビデオコンテンツをストリーム動作モードで解読する手段、および少なくとも該認証キーを用いてブロック動作モードで第１の暗号化キーを生成する手段と、
暗号化したビデオコンテンツが確かに対称解読されているということの確認をトリガーするための確認値を周期的にビデオソース機器に供給する手段と、
からなる装置。